(57)【要約】【課題】　携帯式装置としてケースを小型化し、取扱いを容易にした送信及び／又は受信装置を提供する。【解決手段】　携帯式装置としてのエクステントを有する送信及び／又は受信装置（１）は、５０ＭＨｚ以上５００ＭＨｚ以下の周波数バンドＢ（５０ＭＨｚ≦Ｂ≦５００ＭＨｚ）においてせいぜい１０ｍＷの電力により作動する。送信及び／又は受信装置（１）はループアンテナとして設けられたアンテナ（５）を有する。【選択図】　図１
2004072771.tif 000002
【特許請求の範囲】
【請求項１】
　携帯式装置としてのエクステントを有して５０ＭＨｚ以上５００ＭＨｚ以下の周波数バンドＢ（５０ＭＨｚ≦Ｂ≦５００ＭＨｚ）においてせいぜい１０ｍＷの電力により送信及び／又は受信を行う送信及び／又は受信装置であって、前記送信及び／又は受信装置は、送信及び／又は受信アンテナ、前記アンテナに接続された送信及び／又は受信モジュール及び互いに対して可動に結合された２部分を有するケーシングを備え、前記２部分の一方部分は前記モジュールの少くとも主要部を内蔵し、かつ、前記２部分の他方部分は前記アンテナをループアンテナとして備えてなることを特徴とする送信及び／又は受信装置。
【請求項２】
　前記送信及び／又は受信モジュールは、ディスプレイ、キーパッド及びマイクロホンの少くとも１つを備え、前記ディスプレイ、キーパッド及びマイクロホンの前記少くとも１つは、前記一方部分の一面に沿って配され、かつ、前記他方部分は、前記一方部分の前記一面のカバーを形成してなることを特徴とする請求項１記載の装置。
【請求項３】
　前記ループアンテナは、前記他方部分の周辺に沿ってその内部に一体化されてなることを特徴とする請求項１記載の装置。
【請求項４】
　前記他方部分は、少くとも実質的に前記アンテナで構成されてなることを特徴とする請求項１記載の装置。
【請求項５】
　前記他方部分は、実質的に平らに形成されてなることを特徴とする請求項１記載の装置。
【請求項６】
　前記送信及び／又は受信装置は、前記一方部分の一面に沿ってディスプレイ、キーパッド及びマイクロホンの少くとも１つを備え、前記他方部分は、前記一面のカバーを形成すると共に、前記一方部分に相対して前記他方部分の１つの位置において前記ディスプレイ、キーパッド及びマイクロホンの前記少くとも１つと連携するように透明な又は開口した中央部分を備え、かつ、前記ループアンテナは前記中央部分の周りに配されてなることを特徴とする請求項１記載の装置。
【請求項７】
　前記周波数バンドＢはＴＶバンド３でなることを特徴とする請求項１記載の装置。
【請求項８】
　ワイヤレスマイクロホンでなることを特徴とする請求項１記載の装置。
【請求項９】
　少くとも１つの聴音装置に対する無線通信装置でなることを特徴とする請求項１記載の装置。
【発明の詳細な説明】
【技術分野】
【０００１】
　本発明は、携帯式装置としてのエクステント（記憶用等の外部装置）を有する送信及び／又は受信装置に関する。
【背景技術】
【０００２】
　例えば５０〜７５ＭＨｚのワイヤレスマイクロホンのような上記エクステントを有して、例えばＶＨＦバンド（１６０〜２３０ＭＨｚ）及び／又はより低いＵＨＦバンド（４００〜５００ＭＨｚ）で作動する近時の無線による送信装置は、通常ほんの数ｍＷの範囲内の低電力信号を送信する次のような型式のアンテナを使用する：
・搬送信号波長の１／４の長さのワイヤアンテナ；
・ヘリカルアンテナ。
【０００３】
　これらのアンテナは、いずれの型式であれ取扱い上必ずしも実用的ではなく、特にヘリカルアンテナは容積が大きいため、これを携帯式装置のための小型ケース内に設けたり又は一体化することには適していない。
【発明の開示】
【発明が解決しようとする課題】
【０００４】
　本発明は、携帯式装置としてのエクステントを有し、５０ＭＨｚ以上５００ＭＨｚ以下の周波数バンドＢ（５０ＭＨｚ≦Ｂ≦５００ＭＨｚ）において作動し、かつ、せいぜい２ｍＷの電力において送信及び／又は受信する小型の送信及び／又は受信装置を提供することを課題とする。この装置は、聴音装置と共に用いて聴音装置に信号を送り又は聴音装置から信号を受けることに特に適している。ここにいう聴音装置とは、例えばワイヤレスヘッドホン、補聴器装置、等の一般的なものを含むあらゆる聴音装置とすることができる。
【課題を解決するための手段】
【０００５】
　上述の課題は、次の装置、即ち送信及び／又は受信アンテナ、このアンテナに接続された送信及び／又は受信モジュール及び互いに対して可動に結合された２部分を有するケーシングを備え、これらの２部分の一方部分は前記モジュールの少くとも主要部を内蔵し、かつ、前記２部分の他方部分は前記アンテナをループアンテナとして備えた送信及び／又は受信装置、により達成される。
【０００６】
　ループアンテナは、既知のように、船舶の無線航法装置やテレビジョン及び放送用送信装置及び受信装置のような高電力分野で用いられる他に、例えばＧＳＭ、ＤＥＣＴ、ＰＣＳ又はＵＭＴＳといったより高いＵＨＶバンド及びより低いマイクロウェーブバンドにおいて作動する近時の移動電話システムにおいて使用されており、これらの使用分野においてループアンテナは電力消費に関して特に問題なしとされていることを考慮する必要がある。但し、耳内取付補聴器装置を含む聴音装置の分野においては、電力供給のためのスペースが大巾に制限される。従って、聴音装置において無線により伝送される信号の電力はせいぜい２ｍＷである。更に、聴音装置の分野では、電力消費を低くする必要のために、送信信号及び／又は受信信号の周波数を上げることは許容されない。にも拘わらず、本発明によれば、上述の送信及び／又は受信装置に驚くほど完全にループアンテナを装着し、使用できることが判明した。
【０００７】
　本発明による装置の好ましい１つの実施の形態において、送信及び／又は受信モジュールは、ディスプレイ、キーパッド及びマイクロホンの少くとも１つを備え、前記ディスプレイ、キーパッド及びマイクロホンの前記少くとも１つは、装置の一方部分の一面に沿って配され、かつ、ループアンテナを有する他方部分は、前記一面のための、好ましくは摺動可能な又は枢支結合されたカバーを形成する。
【０００８】
　更なる実施の形態において、ループアンテナは前記他方部分の周辺に沿ってその内部に一体化される。
【０００９】
　更なる実施の形態において、前記他方部分、即ち、ループアンテナが設けられた部分は実質的に平らに形成される。更なる実施の形態において、送信及び／又は受信装置は、前記一方部分の一面に沿ってディスプレイ、キーパッド及びマイクロホンの少くとも１つを備え、前記他方部分は、前記一面のカバーを形成すると共に、前記一方部分に相対して前記他方部分の１つの位置において前記ディスプレイ、キーパッド及びマイクロホンの前記少くとも１つと連携するように透明な又は開口した中央部分を備える。ここにおいて、前記ループアンテナは前記他方部分の中央部分の周りに配される。最も好ましい実施の形態において、本発明による装置は、ワイヤレスマイクロホン又は少くとも１つの聴音装置に対する無線通信装置を形成する。
【発明の効果】
【００１０】
　本発明による携帯式送信及び／又は受信装置は、携帯式装置としてのエクステントを有して５０ＭＨｚ以上５００ＭＨｚ以下の周波数バンドにおいてせいぜい１０ｍＷの電力により作動し、かつ、アンテナとしてループアンテナを備えるようにして構成され、これにより小型化され、取扱いの容易な携帯式送受信装置を実現することができる。
【発明を実施するための最良の形態】
【００１１】
　本発明による装置を添付の図を参照し、例示的に説明する。
【００１２】
　図１は、本発明による送信及び／又は受信装置（以下において本装置という）に関わる１つの実施の形態を示す略式斜視図である。本装置は、携帯式装置としてのエクステントを有する本体１を有する。本装置は、例えばワイヤレスマイクロホンとすることができる。本装置は、本体１の表面４における機能部３を有する。この実施の形態における機能部３には、マイクロホン装置及び／又はタッチパッド及び／又はディスプレイが設けられる。
【００１３】
　本装置は、例えばワイヤレスヘッドホン又は耳内取付或いは耳外取付補聴器のような聴音装置に対する一方向又は双方向通信のための遠隔制御装置とすることができる。このような場合に本体１の機能部３は、例えばキーパッド及び／又はディスプレイ及び／又は本装置において音声認識を行うマイクロホンを備える。
【００１４】
　いずれの場合においても、本装置と遠隔受信及び／又は送信装置との間には、図１において双方向矢で示すように、一方向又は双方向の無線通信Ｌが実施される。この無線接続を実施するために、ループアンテナ５が設けられる。このループアンテナ５は、図１の実施の形態においては、本体１にヒンジ部９を介して枢支結合されたカバー部７内に一体化されて設けられる。本体１の機能部３に設ける機能部材の種類に応じて、カバー部７の中央部１１は開口部として又は例えば透明な膜状部材で満たされた部分として設けられる。この中央部１１を通して音響信号が本体１に設けられたマイクロホンに衝突し、又は、透明な膜状部材を通して本体１の機能部３に配されたキーの操作を行い、またディスプレイの表示を見ることができる。
【００１５】
　図１において本体１の機能部３の内部には、破線で示すように、ループアンテナ５を介して無線通信Ｌを実施するための電子装置としての送信及び／又は受信装置（ＴＲ／ＲＣ）１３が設けられる。本装置が例えばワイヤレスマイクロホンである場合は、マイクロホン装置が本体１の機能部３に設けられる。音響信号がこのマイクロホン装置により受信され、それぞれの電気信号に変換され、これにより、例えば聴音装置における受信装置のような遠隔受信装置に無線により伝送される信号が制御される。本装置が再び例えば聴音装置のための制御装置である場合又はこのような制御装置を含む場合は、音声又は手動により入力される制御信号が、無線通信Ｌを介して遠隔受信装置に伝送されるそれぞれの信号を制御する。これらの信号はまた、遠隔送信装置において生成することができる。これは、例えば遠隔送信装置が本装置からの指令信号の受信を確認し、これを図１に示すように無線通信Ｌを介して本装置に逆に伝送し、この時本装置が受信装置として機能し、これにより、このような遠隔送信装置において生成された信号に含まれた情報が例えばディスプレイに表示されるというような場合である。
【００１６】
　更なる実施の形態として、本装置は、図１に示すように、例えばＣＤプレイヤ１６、ＭＰ３プレイヤ、等の外部装置に接続される入力タップ１４を有し、これにより有線通信／無線通信変換ステーションとして機能することができる。
【００１７】
　携帯式装置によるエクステントを有する本装置は、５０ＭＨｚないし５００ＭＨｚの周波数バンド、即ち実質的にＴＶバンド３として知られる周波数バンド、における無線通信Ｌを実施する。本装置は、好ましくは約２００ＭＨｚの周波数において用いられる。伝送される信号の電力はせいぜい２ｍＷである。無線通信Ｌを介する情報伝送には種々の変調形態が可能であり、１つの実施の形態においては、周波数変調を用いる一方、当分野の熟練者にも知られているように、その他にも振巾変調やより一般的に位相変調技術を実施することもできる。
【００１８】
　図１に示す本装置が例えば無線制御装置である場合、この本装置は使用者による手持のものとすることができる。本装置が音声認識及び指令を行うワイヤレスマイクロホン又は無線制御装置である場合、この本装置はまた、腰ベルトへの取付け又は首かけ等により人の適宜の位置において使用することもできる。即ち、本装置は必ずしも手持装置に限定されず、携帯式装置としてのエクステントを有することができる。
【００１９】
　図２は別の実施の形態の側面図であり、また図３はその平面図である。ここに示す実施の形態において、ループアンテナ７が内蔵される本装置の部分は、図１におけるような枢支結合部分としてではなく、摺動可能なカバー部７ａとして実現される。図２に示すように摺動可能なカバー部７ａがその最も外側の位置に摺動して引出されると、送信及び／又は受信装置（ＴＲ／ＲＣ）１３の出力及び／又は入力とループアンテナ５との間に電気接続１５が形成される。
【００２０】
　図１に示す実施の形態並びに図２、図３に示す実施の形態において、カバー部７、７ａの全体の枠部分を金属により形成し、これをループアンテナとして形成することができる。他方、カバー部７、７ａを例えばプラスチック材で作り、ループアンテナ５を細線のアンテナとしてこのカバー部７、７ａ内に埋込むことも可能である。
【００２１】
　図４に示す実施の形態においては、ループアンテナ５は比較的細い線で実現され、このアンテナ５を内蔵するカバー部７ｃは、皮又は柔いプラスチック材で作られた可撓な曲げ易いカバー部として形成される。このカバー部７ｃは、その一方端が本装置の本体１に結合され、手動によってこれを容易に曲げ開くことができる。
【図面の簡単な説明】
【００２２】
【図１】本発明による送信及び／又は受信装置の１つの実施の形態を示す斜視図。
【図２】本発明による装置の別の実施の形態を示す側面図。
【図３】図２の実施の形態を示す平面図。
【図４】本発明による装置の更に別の実施の形態を示す斜視図。
【符号の説明】
【００２３】
　１　本体
　３　機能部
　４　表面
　５　ループアンテナ
　７、７ａ、７ｃ　カバー部
　９　ヒンジ部
１１　中央部
１３　送信及び／又は受信装置（ＴＲ／ＲＣ）
１４　入力タップ
１５　電気接続
１６　ＣＤプレイヤ
　Ｌ　無線通信
【図１】
2004072771.tif 000003
【図２】
2004072771.tif 000004
【図３】
2004072771.tif 000005
【図４】
2004072771.tif 000006